(57)【特許請求の範囲】
【請求項１】
ＩＤ情報を用いた認証を行う認証手段と、
前記認証が開始されてから前記認証が完了するまでの間であっても、画像の撮影が可能な撮影手段と、
前記認証が開始されてから前記認証が完了するまでの間に前記撮影手段によって撮影された画像を格納するメモリと
を有し、
前記認証に成功した場合は、前記メモリに格納されている画像を取り外し可能な記録媒体に書き込むことを特徴とする画像処理装置。
【請求項２】
前記認証に所定回数以上失敗した場合は、前記メモリに格納されている画像を取り外し可能な記録媒体に書き込まないようにすることを特徴とする請求項１に記載の画像処理装置。
【請求項３】
前記認証に所定回数以上失敗した場合は、電源をオフにすることを特徴とする請求項１又は２に記載の画像処理装置。
【請求項４】
前記ＩＤ情報を記録したＩＤ情報記録手段をさらに有し、
前記認証手段は、使用者によって入力されたＩＤ情報と、前記ＩＤ情報記録手段に記録されている前記ＩＤ情報とを用いて、前記認証を行うことを特徴とする請求項１から３のいずれか１項に記載の画像処理装置。
【請求項５】
前記ＩＤ情報は、パスワードであることを特徴とする請求項１から４のいずれか１項に記載の画像処理装置。
【発明の詳細な説明】
【０００１】
【発明の属する技術分野】
本発明は、ＩＤ情報を用いた認証を行う画像処理装置に関する。
【０００２】
【従来の技術】
従来、撮像素子を用いて光学系から入射する被写体像を撮影し、その得られた画像信号の信号処理を行って画像情報に変換し、上記画像情報をメモリカードや、フレキシブルディスク或いはハードディスクからなる記録媒体に記録するようにした画像処理装置が種々提案されている。
【０００３】
画像処理装置、特に電子スチルカメラの大きな特徴として、撮影した画像の取り扱いが従来の銀塩カメラに比べて、非常に簡単であることがあげられる。従来の銀塩カメラの場合、現像済みのフィルムとプリントをそれぞれ対応付けて管理しなければならず、日付や撮影内容、撮影データなどを細かく管理していくのには不向きである。また、フィルムやプリントの数が増えてくると保管にも苦労することが多い。
【０００４】
しかし、画像処理装置、特に電子スチルカメラでは、撮影された画像は露出や撮影条件などの撮影データとともにファイルに保存されるので、電子スチルカメラからパソコンに転送すれば、日付や撮影内容をもとに簡単に管理することができる。また、多くの画像の中から所望の画像を探し出す場合も非常に簡単である。
【０００５】
近年、画像とともに記録される撮影データに、カメラの使用を許可する使用者を記録する画像処理装置も登場している。
【０００６】
これは、あらかじめ使用者が自分の名前などをカメラに登録しておき、その情報を画像データとともに記録することで、どの画像をいつ、誰が撮影したかを管理できる。
【０００７】
また、使用者の名前を登録したカメラを勝手に第３者が使用しないために、個人のＩＤやパスワードを使用する認証機能を持った画像処理装置も考案されている。例えば、特開２０００−１４７６２３号公報では使用者の網膜や指紋及び声紋などを用いて、カメラの使用者を特定するように構成している。このような画像処理装置では、電源を投入すると認証動作が開始され、種々の認証動作が完了した後に撮影動作が可能となる。
【０００８】
【発明が解決しようとする課題】
しかしながら、上述した電源投入後の認証動作完了をもって、撮影動作が可能となる方法では、とっさのシャッターチャンスに対応できないという問題点がある。
【０００９】
そこで、本発明は、認証動作が完了していなくても撮影動作が可能な画像処理装置を提供することを目的とする。
【００１０】
【課題を解決するための手段】
本発明に係る画像処理装置は、ＩＤ情報を用いた認証を行う認証手段と、前記認証が開始されてから前記認証が完了するまでの間であっても、画像の撮影が可能な撮影手段と、前記認証が開始されてから前記認証が完了するまでの間に前記撮影手段によって撮影された画像を格納するメモリとを有し、前記認証に成功した場合は、前記メモリに格納されている画像を取り外し可能な記録媒体に書き込むことを特徴とする。
【００１４】
【発明の実施の形態】
以下、本発明の実施の形態を説明する。
図1において、１００は画像処理装置である。
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、撮影した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
さらに、画像処理回路２０においては、撮影した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮影した画像データを逐次表示すれば、電子ファインダー機能を実現することが可能である。
【００２３】
また、画像表示部２８は、システム制御回路５０の指示により任意に表示をＯＮ／ＯＦＦすることが可能であり、表示をＯＦＦにした場合には、画像処理装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込むためのものである。
【００２６】
４０は絞り機能を備えるシャッター１２を制御する露光制御手段であり、フラッシュ４８と連携することによりフラッシュ調光機能も有するものである。
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２７】
４８はフラッシュであり、ＡＦ補助光の投光機能、フラッシュ調光機能も有する。
露光制御手段４０、測距制御手段４２はＴＴＬ方式を用いて制御されており、撮影撮影した画像データを画像処理回路２０によって演算した演算結果に基づき、システム制御回路５０が露光制御手段４０、測距制御手段４２に対して制御を行う。
【００２８】
５０は画像処理装置１００全体を制御するシステム制御回路、５２はシステム制御回路５０の動作用の定数、変数、プログラム等を記憶するメモリである。
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００２９】
また、表示部５４は、その一部の機能が光学ファインダー１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I／Ｆ動作表示、日付け・時刻表示、等がある。
【００３０】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３１】
５６は電気的に消去・記録可能な不揮発性メモリであり、例えばＥＥＰＲＯＭ等が用いられる。
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３２】
ここで、これらの操作手段の具体的な説明を行う。
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３３】
６２はシャッタースイッチＳＷ1で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３４】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３５】
６６は画像表示ＯＮ／ＯＦＦスイッチで、画像表示部２８のＯＮ／ＯＦＦを設定することが出来る。この機能により、光学ファインダー１０４を用いて撮影を行う際に、ＴＦＴ ＬＣＤ等から成る画像表示部への電流供給を遮断することにより、省電力を図ることが可能となる。
【００３６】
６８はクイックレビューＯＮ／ＯＦＦスイッチで、撮影直後に撮影した画像データを自動再生するクイックレビュー機能を設定する。
【００３７】
９０は記録媒体２００、或いは外部機器とのインターフェース（Ｉ／Ｆ）、９２は記録媒体２００と画像処理装置との電気的接続を行う本体側のコネクタである。
【００３８】
９４は記録媒体２１０、或いは外部機器とのインターフェース（Ｉ／Ｆ）、９６は記録媒体２１０と画像処理装置との電気的接続を行う本体側のコネクタである。
【００３９】
記録媒体２００には、記録部２０２があり、ここに記憶される情報は記録媒体側のインターフェース２０４及びコネクタ２０６を介して外部から読み書きが行われる。前記インターフェース２０４は、ＣＰＵ、ＭＰＵ等の制御回路、ＲＯＭ、ＥＥＰＲＯＭ等の不揮発性メモリ、及びＲＡＭ等により構成され、所定のプログラムに基づいて記録媒体２００の制御を行う。
【００４０】
記録媒体２１０には、記録部２１２があり、ここに記憶される情報は記録媒体側のインターフェース２１４及びコネクタ２１６を介して外部から読み書きが行われる。前記インターフェース２１４は、ＣＰＵ、ＭＰＵ等の制御回路、ＲＯＭ、ＥＥＰＲＯＭ等の不揮発性メモリ、及びＲＡＭ等により構成され、所定のプログラムに基づいてメ記録媒体２１０の制御を行う。
【００４１】
９８は記録媒体着脱検知手段で記録媒体２００の着脱を検知する。
８０は電源の状態検出及び制御を行う電源制御回路、８６は電源部であり、電池、ＤＣ−ＤＣコンバータ、通電するブロックを切り換えるスイッチ等により構成されており、前記電源制御回路８０によって制御される。８２は電源制御回路８０と電源部８６を接続する本体側のコネクタ、８４は電源部側のコネクタである。
【００４２】
また、電源制御回路８０は電池装着の有無、電池の種類、電池残量の検出を行い、検出結果及びシステム制御回路５０の指示に基づいて電源部８６を制御している。
【００４３】
３００はＩＤ認証処理手段で、図２に示すようにＩＤ情報記録手段３０２とＩＤ情報判別手段３０４とＩＤ情報登録手段３０６と動作設定手段３０８とからなる。
【００４４】
ＩＤ情報記録手段３０２にはＩＤ情報登録手段３０６によりあらかじめ登録されたＩＤ情報が記録されている。ＩＤ情報としては個人名や各個人が設定するパスワード、さらには指紋や声紋などを登録する。本実施の形態では各個人が設定するパスワードをＩＤ情報として用いている。
【００４５】
ＩＤ情報判別手段３０４はＩＤ情報記録手段３０２に記憶されているＩＤ情報と電源投入時に入力されたＩＤ情報とが一致するかどうかを判断する。
【００４６】
また、動作設定手段３０８はＩＤ認証完了以前に撮影動作が行われた場合の本装置の動作を設定する。なお、動作設定手段３０８にて動作設定を行えるのはＩＤ認証が完了した状態でのみ許可される。
【００４７】
図３は、上記の構成で成る画像処理装置の電源投入時の動作を示すフローチャートである。
ステップＳ１００において処理を開始すると、次に、ステップＳ１０１において、電池交換等の電源投入により、システム制御回路５０はフラグや制御変数等を初期化して、画像表示部２８の画像表示をＯＦＦ状態に初期設定する。
【００４８】
次に、ステップＳ１０２において、システム制御回路５０は、電源制御手段８０により電池等により構成される電源８６の残容量や動作情況が画像処理装置１００の動作に問題があるか否かを判断する。この判断の結果、問題があるならば、ステップＳ１０３へ進んで表示部５４を用いて画像や音声により所定の警告表示を行う。
【００４９】
また、ステップＳ１０２の判断の結果、電源８６に問題が無いならばステップＳ１０４に進み、システム制御回路５０により、記録媒体２００及び２１０のチェックを行う。
【００５０】
次に、ステップＳ１０４に進み、記録媒体２００及び２１０の動作状態が画像処理装置１００の動作、特に、記録媒体に対する画像データの記録再生動作に問題があるか否かを判断する。この判断の結果、問題があるならば、ステップＳ１０３へ進んで、前述した警告表示を行う。
【００５１】
また、ステップＳ１０４の判断の結果、記録媒体２００及び２１０の動作状態に問題が無いならば、ステップＳ１０５へと進む。ステップＳ１０５においては、システム制御回路５０は、動作設定手段３０８により設定されている各種設定値を読み出して、ＩＤ認証が完了する前に撮影動作が行われた場合の動作制限を設定する。
【００５２】
次に、ステップＳ１０６に進み、表示部５４を用いて画像や音声により、画像処理装置１００の各種設定状態の表示を行う。なお、画像表示部２８の画像表示がＯＮであったならば、画像表示部２８も用いて画像や音声により画像処理装置１００の各種設定状態の表示を行う。
【００５３】
次に、ステップＳ１０７に進み、ＩＤ認証動作をスタートする。これにより、画像表示部２８にパスワードの入力を促す画面が表示されるので、ソフトキーボードによりパスワード入力を行う。
【００５４】
パスワードの入力が終わると、ステップＳ１０８に進み、ＩＤ情報判別手段３０４がＩＤ情報登録手段３０６によりあらかじめ登録されていて、ＩＤ情報記録手段３０２に記録されているパスワードと、今入力されたパスワードとが一致するかどうかを判断する。この判断の結果、パスワードが正しい場合にはステップＳ１１２に進み、電源投入時の起動終了を終了する。
【００５５】
一方、ステップＳ１０８の判断の結果、パスワードが正しくないと判断された場合は、ステップＳ１０９に進み、一致検出を実行した回数を判断する。この判断の結果、一致検出の実行回数があらかじめ設定した回数未満であった場合には、あらかじめ定められた所定の回数だけリトライを行うためステップＳ１０７へ戻る。
【００５６】
ステップＳ１０９の判断の結果、一致検出を実行した回数が所定回数になっている場合には、リトライを行っても正しいパスワードが入力されないとしてステップＳ１１０へ進む。
【００５７】
ステップＳ１１０においては、所定回数のパスワード入力に対して正しいパスワードが入力されなかったので、その旨を画像表示部２８に警告表示する。次に、ステップＳ１１１に進み、電源をオフする。前述のように、パスワードが正しく入力されなかった場合には、正当な使用者以外の人が画像処理装置１００を使用しようとしていると判断できるので、電源をオフすることにより、不要な操作を阻止することができる。次に、ステップＳ１１２に進み、電源投入時の起動終了を終了する。
【００５８】
図４は、画像処理装置のＩＤ認証動作の途中で撮影動作を行い、撮影動作終了後に改めてＩＤ認証を行う場合の動作を示すフローチャートである。
【００５９】
最初に、ステップＳ２００において、ＩＤ認証処理を開始する。これは、図３のステップＳ１０７と同様の処理である。本実施の形態においては、認証結果の正否を判断するステップＳ２０９までの間にステップＳ２０１〜ステップＳ２０８の処理を行い、撮影動作を指示する操作が行われたか否かを検出している。
【００６０】
すなわち、ＩＤ認証動作が開始されると、その途中におけるステップＳ２０１においてシャッタースイッチＳＷ１がＯＮされたか否かを判断する。この判断の結果、シャッタースイッチＳＷ１がＯＮされた場合はステップＳ２０２に進む。
また、シャッタースイッチＳＷ１が押されなければ、ステップＳ２０９へと進む。
【００６１】
ステップＳ２０２においては、直ちにＩＤ認証の処理を中断して撮影動作の準備に入る。次に、ステップＳ２０３において、システム制御回路５０は、測距処理を行って撮影レンズ１０の焦点を被写体に合わせるとともに、測光処理を行って絞り値及びシャッター時間を決定する。前記測光処理において、必要であればフラッシュの設定も行う。
【００６２】
次に、ステップＳ２０４において、シャッタースイッチＳＷ２が押されたか否かを判断する。この判断の結果、シャッタースイッチＳＷ２が押されたならば、ステップＳ２０６に進んで撮影を実際に行う。また、ステップＳ２０４の判断の結果、シャッタースイッチＳＷ２が押されなかった場合は、ステップＳ２０５へ進む。
【００６３】
ステップＳ２０５においては、シャッタースイッチＳＷ１がＯＮされたままであるか否かを判断する。この判断の結果、シャッタースイッチＳＷ１がＯＮされたままの場合は、ステップＳ２０３で測光・測距を続ける。また、ステップＳ２０５の判断の結果、シャッタースイッチＳＷ１がＯＦＦとなっている場合にはＳ２００へ戻ってＩＤ認証動作を開始する。
【００６４】
一方、ステップＳ２０６に進んだ場合には、システム制御回路５０は、撮像素子１４、Ａ／Ｄ変換器１６、画像処理回路２０、メモリ制御回路２２を介して、或いは、Ａ／Ｄ変換器から直接メモリ制御回路２２を介して、メモリ３０に撮影した画像データを書き込む露光処理を行う。
【００６５】
また、メモリ制御回路２２を用い、また必要に応じて画像処理回路２０を用いて、メモリ３０に書き込まれた画像データを読み出して、各種処理を行う現像処理からなる撮影処理を実行する。ただし、ＩＤ認証が完了していないので、記録媒体２００への書き込み動作は行わない。
【００６６】
次に、ステップＳ２０７に進み、ＩＤ認証動作を再び開始する。
【００６７】
次に、ステップＳ２０８において、前述したステップＳ２０１と同様に、ＩＤ認証途中でシャッタースイッチＳＷ１がＯＮされたか否かを判断し、この判断の結果、シャッタースイッチＳＷ１がＯＮされた場合はステップＳ２０２へ、シャッタースイッチＳＷ１が押されなければステップＳ２０９へと進む。
【００６８】
ステップＳ２０９においては、ＩＤ情報判別手段３０４によりパスワードが正しいと判断されれば、画像処理装置１００は、メモリ３０に保存されている画像データを記録媒体２００へ書き込むため、ステップＳ２１０へ進む。一方、パスワードが正しくないと判断された場合は、ステップＳ２１１へ進む。
【００６９】
ステップＳ２１０において、システム制御回路５０は、メモリ３０に書き込まれた画像データを読み出して、設定したモードに応じた画像圧縮処理を圧縮・伸長回路３２により行った後、インターフェース９０、コネクタ９２を介して、メモリカードやコンパクトフラッシュ（Ｒ）カード等の記録媒体２００へ、圧縮した画像データの書き込みを行う。
【００７０】
ステップＳ２１１では、パスワードの一致検出を実行した回数を判断する。この判断の結果、一致検出の実行回数があらかじめ設定した回数未満であった場合には、あらかじめ定められた所定の回数だけリトライを行うためステップＳ２０７へ戻る。
【００７１】
一方、ステップＳ２１１の判断の結果、一致検出を実行した回数が所定回数になっている場合には、リトライを行っても正しいパスワードが入力されないとして、ステップＳ２１２へ進む。
【００７２】
ステップＳ２１２においては、所定回数のパスワード入力に対して正しいパスワードが入力されなかった旨を画像表示部２８に警告表示する。
【００７３】
次に、ステップＳ２１３に進み、正当な使用者以外の人が画像処理装置１００を使用しようとしていると判断して、不要な操作を阻止するため電源をオフする。また、メモリ３０に格納されている画像データを破棄する。
【００７４】
以上の処理が終了したらステップＳ２１４に進み、ＩＤ認証動作、撮影画像の保存処理を終了する。
【００７５】
以上の動作により、電源投入後に行われる認証動作が完了していなくても、直ちに撮影することが可能となるので、本実施の形態の画像処理装置においては、とっさのシャッターチャンスを逃すことなく速やかに撮影を行うことが可能となる。また、認証動作により、撮影者がこのカメラの使用者として認証された場合のみ画像を保存記録するので、カメラの不正使用を防止することが出来る。
【００７６】
（本発明の他の実施の形態）
本発明は複数の機器から構成されるシステムに適用しても１つの機器からなる装置に適用しても良い。
【００７７】
また、上述した実施の形態の機能を実現するように各種のデバイスを動作させるように、上記各種デバイスと接続された装置或いはシステム内のコンピュータに対し、記録媒体から、またはインターネット等の伝送媒体を介して上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００７８】
また、この場合、上記ソフトウェアのプログラムコード自体が上述した実施の形態の機能を実現することになり、そのプログラムコード自体、及びそのプログラムコードをコンピュータに供給するための手段、例えばかかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７９】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）或いは他のアプリケーションソフト等の共同して上述の実施の形態で示した機能が実現される場合にもかかるプログラムコードは本発明の実施の形態に含まれることは言うまでもない。
【００８０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００８２】
【発明の効果】
本発明によれば、認証動作が完了していなくても撮影動作が可能であるので、シャッターチャンスを逃すことなく速やかに撮影を行うことができる。
【図面の簡単な説明】
【図１】実施の形態の画像処理装置のブロック図である。
【図２】実施の形態のＩＤ認証処理手段の簡単なブロック図である。
【図３】実施の形態の画像処理装置の電源投入時の動作を示すフローチャートである。
【図４】実施の形態の画像処理装置の動作を示すフローチャートである。
【符号の説明】
１０  撮影レンズ
１２  絞り機能を備えるシャッター
１４  光学像を電気信号に変換する撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御回路
８２  本体側のコネクタ
８４  電源部側のコネクタ
８６  電源部
９０、９４  本体側のインターフェース
９２、９６  本体側のコネクタ
９８  記録媒体着脱検知手段
１００  画像処理装置
１０２  保護手段
１０４  光学ファインダー
２００、２１０  記録媒体
２０２、２１２  記録部
２０４、２１４  メモリカード側のインターフェース
２０６、２１６  メモリカード側のコネクタ
３００  ＩＤ認証処理手段
３０２  ＩＤ情報記録手段
３０４  ＩＤ情報判別手段
３０６  ＩＤ情報登録手段
３０８  動作設定手段
【図１】
0004557463.tif 000002
【図２】
0004557463.tif 000003
【図３】
0004557463.tif 000004
【図４】
0004557463.tif 000005